(57)【要約】【課題】電気等の特定のライフエネルギーの使用が集中した場合であっても、そのような事態を穏やかに解消することができる、ライフエネルギーの使用集中を抑制するシステムを提供する。【解決手段】複数の家電機器と、それらに電気を供給する分電盤と、ライフエネルギー供給部からの現在の電気使用量を検知するセンサーと、センサーからの検知信号に基づき、現在の電気使用量が設定量を越えたとき、予め登録された一部の家電機器へのライフエネルギーの供給を優先的に停止又は減らす制御を行うサーバーとが備えられている。【選択図】      図１
2005110424.tif 000002
【特許請求の範囲】
【請求項１】
同種のライフエネルギーを使用する複数の機器と、
それらに該ライフエネルギーを供給するライフエネルギー供給部と、
ライフエネルギー供給部からの現在のライフエネルギー供給量を検知するセンサーと、
センサーからの検知信号に基づき、現在のライフエネルギー供給量が設定ライフエネルギー供給量を越えたとき、予め登録された一部のライフエネルギー使用機器へのライフエネルギーの供給を優先的に停止又は減らす制御を行う制御部と
が備えられていることを特徴とするライフエネルギーの使用集中を抑制するシステム。
【請求項２】
前記制御部が、制御を受けた機器を関係者に知らせるお知らせ信号を出力する機能を備えている請求項１に記載のシステム。
【請求項３】
同種のライフエネルギーを使用する複数の機器と、
それらに該ライフエネルギーを供給するライフエネルギー供給部と、
ライフエネルギー供給部からの現在のライフエネルギー供給量を検知するセンサーと、
センサーからの検知信号に基づき、現在のライフエネルギー供給量が設定ライフエネルギー供給量を越えているとき、警告信号を発する制御を行う制御部と
が備えられていることを特徴とするライフエネルギーの使用集中を抑制するシステム。
【請求項４】
前記ライフエネルギーが電気である請求項１乃至３のいずれか一に記載のシステム。
【発明の詳細な説明】
【技術分野】
【０００１】
本発明は、電気等のライフエネルギーの使用集中を抑制するシステムに関する。
【背景技術】
【０００２】
例えば、家庭の電気について、一度に使用できる電気の量は限られており、それを越えて電気を使用してしまうと、電気の供給がストップし、ストップさせてはならない電気機器まで不本意にもストップさせてしまって、困った事態を招くことがある。
【発明の開示】
【発明が解決しようとする課題】
【０００３】
本発明は、上記の背景において、電気等の特定のライフエネルギーの使用が集中した場合であっても、そのような事態を穏やかに解消することができる、ライフエネルギーの使用集中を抑制するシステムを提供することを課題とする。
【課題を解決するための手段】
【０００４】
上記の課題は、同種のライフエネルギーを使用する複数の機器と、
それらに該ライフエネルギーを供給するライフエネルギー供給部と、
ライフエネルギー供給部からの現在のライフエネルギー供給量を検知するセンサーと、
センサーからの検知信号に基づき、現在のライフエネルギー供給量が設定ライフエネルギー供給量を越えたとき、予め登録された一部のライフエネルギー使用機器へのライフエネルギーの供給を優先的に停止又は減らす制御を行う制御部と
が備えられていることを特徴とするライフエネルギーの使用集中を抑制するシステムによって解決される。
【０００５】
このシステムでは、複数のライフエネルギー使用機器を同時に使用して、ライフエネルギーの使用が集中し、ライフエネルギー供給部からの現在のライフエネルギー供給量が設定量を超えたとき、それをセンサーが検知して、制御部が、予め登録された一部のライフエネルギー使用機器へのライフエネルギーの供給を優先的に停止又は減らす制御を行う。従って、関連する機器がむやみに停止してしまうということがなく、ライフエネルギーの使用が集中した場合であっても、そのような事態を穏やかに解消することができる。
【０００６】
特に、ライフエネルギーの供給を優先的に停止又は減らす対象機器を登録する入力部が備えられている場合は、機器の使用状態においてシステムを使用する者に都合のよい使用集中の緩和を行うことができるようになる。
【０００７】
上記のシステムにおいて、前記制御部が、制御を受けた機器を関係者に知らせるお知らせ信号を出力する機能を備えている場合は、制御部からのお知らせ信号によって、関係者が、現在のライフエネルギーの使用集中状況を把握することができ、より適切な措置をとるべきかどうかを検討することができて、そのような事態に対する適切な解決を行っていくことができる。
【０００８】
また、上記の課題は、同種のライフエネルギーを使用する複数の機器と、
それらに該ライフエネルギーを供給するライフエネルギー供給部と、
ライフエネルギー供給部からの現在のライフエネルギー供給量を検知するセンサーと、
センサーからの検知信号に基づき、現在のライフエネルギー供給量が設定ライフエネルギー供給量を越えているとき、警告信号を発する制御を行う制御部と
が備えられていることを特徴とするライフエネルギーの使用集中を抑制するシステムによって解決される。
【０００９】
このシステムでは、複数のライフエネルギー使用機器を同時に使用して、ライフエネルギーの使用が集中し、ライフエネルギー供給部からの現在のライフエネルギー供給量が設定量を超えたとき、それをセンサーが検知して、制御部から警告信号が発せられ、この警告信号に基づいて、関係者は、現在のライフエネルギーの使用集中状況を把握することができ、それに基づいて、関係者にとって都合の良い適切な措置を講じることができる。従って、関連する機器がむやみに停止してしまうということがなく、ライフエネルギーの使用が集中した場合であっても、そのような事態を穏やかに解消することができる。
【００１０】
前記ライフエネルギーが電気である場合は、電気の使用集中によるいきなりの給電停止を有効的に防ぐことができる。
【発明の効果】
【００１１】
本発明は、以上のとおりのものであるから、電気等の特定のライフエネルギーの使用が集中した場合であっても、そのような事態を穏やかに解消することができる。
【発明を実施するための最良の形態】
【００１２】
次に、ライフエネルギーが電気の場合であって、システムを一般家庭で使用する場合の実施形態について、図面に基づき説明する。
【００１３】
図１に示す第１実施形態のシステムにおいて、１はライフエネルギー供給部としての分電盤、２…はライフエネルギー使用機器としての各種家電機器であり、各家電機器２…へは分電盤１から電気の供給が行われるようになされている。
【００１４】
そして、分電盤１には、現在の電気供給量を検知するセンサー３が備えられ、センサー３からの信号が、制御部としてのサーバー４に送られるようになされている。
【００１５】
上記のセンサー３は、各家電機器２…の電気使用量を個々に検知するものであってもよいし、全部の合計使用量を検知するものであってもよいし、分電盤１が複数の電気供給系統に分けられている場合には、系統単位で電気使用量を検知するものであってもよい。
【００１６】
サーバー４はセンサー３からの信号を受けて次のような制御が行われる。即ち、サーバー４には、制御を行う基準となる電気使用量が予め設定されており、現在の電気使用量がその設定使用量を越えたとき、予め登録された一部の家電機器への電気の供給が優先的に停止又は減らされる制御を行う。
【００１７】
また、本実施形態では、電気の供給を優先的に停止又は減らす対象家電機器を登録する入力部５が備えられていて、電気の供給を優先的に停止又は減らす対象となる家電機器をシステム使用者によって都合の良いように設定できるようになされている。
【００１８】
更に、本実施形態では、サーバー４が、制御を受けた機器を関係者に知らせるお知らせ信号を出力する機能を備えており、このお知らせ信号によって、関係者は、携帯端末６で制御の内容を知ることができるようになされている。
【００１９】
上記のシステムでは、複数の家電機器２…を同時に使用して、電気の使用が集中し、分電盤１からの現在の電気使用量が設定量を超えたとき、それをセンサー３が検知して、サーバー４からの制御信号により、予め登録された一部の家電機器への電気の供給が優先的に停止又は減らされることになる。例えば、録音中のビデオとビデオへの電気の供給は続けながら、居間のエアコンの運転が停止させたり、温度を低負荷の側に移行させたりする制御が行われる。従って、家電機器がむやみに停止して取り返しの着かない状況になってしまうことが防がれ、電気の使用が集中した場合であっても、そのような事態を穏やかに解消することができる。
【００２０】
特に、本実施形態では、電気の供給を優先的に停止又は減らす対象機器を登録する入力部５が備えられているので、都合のよい使用集中の緩和を行うことができるが、このような入力部５がなくとも、例えば、対象機器をエアコンに設定しておけば、一般家庭において、最悪の状況はうまく避けることができる。
【００２１】
また、本実施形態では、制御部をサーバー４で構成しているので、上記のような制御の状況を携帯端末６ですぐに知ることができ、関係者が、現在の電気の使用集中状況を把握して、より適切な措置をとるべきかどうかを検討し、そのような事態に対する適切な解決をすぐに行っていくことができる。
【００２２】
図２に示す第２実施形態のシステムは、サーバー４がセンサー３からの検知信号に基づき、現在の電気使用量が設定量を越えているとき、家電機器の制御を行うことなく、単に、警告信号を発する制御を行うようになされたものである。警告信号は、携帯端末６に受信されるようになされている。
【００２３】
このシステムでは、複数の家電機器２…を同時に使用して、電気の使用が集中し、分電盤１からの現在の電気使用量が設定量を超えたとき、それをセンサー３が検知して、サーバー４から警告信号が発せられ、携帯端末に知らせられる。これにより、関係者は、現在の電気の使用集中状態を把握することができ、それに基づいて、関係者にとって都合の良い適切な措置を講じることができる。従って、家電機器がむやみに停止してしまうということがなく、電気の使用が集中した場合であっても、そのような事態を穏やかに解消することができる。
【００２４】
以上に、本発明の実施形態を示したが、本発明はこれに限られるものではなく、発明思想を逸脱しない範囲で各種の変更が可能である。例えば、制御部はサーバーに限らないし、お知らせ信号や警告信号は携帯端末で受信する場合に限らず、ブザーを鳴らすとか、ランプを点灯させるなどの制御信号して用いられてもよい。また、上記の実施形態では、本発明のシステムが対象としているライフエネルギーは電気に限らず、ガスであってもよいし、水道であってもよい。
【図面の簡単な説明】
【００２５】
【図１】第１実施形態のシステムの構成を示す説明図である。
【図２】第２実施形態のシステムの構成を示す説明図である。
【符号の説明】
【００２６】
１…分電盤（ライフエネルギー供給部）
２…家電機器（ライフエネルギー使用機器）
３…センサー
４…サーバー（制御部）
【図１】
2005110424.tif 000003
【図２】
2005110424.tif 000004